(57)【要約】【課題】元の色と同じ色の固形絵の具を誤りなく購入することが可能であり、且つ元の収容区画に誤りなく装着することが可能な絵の具セットを開発する。【解決手段】収容区画１５が複数設けられた収容箱３と、複数の固形絵の具１によって構成され、収容箱３の収容区画１５に固形絵の具１が一個ずつ配置されている。固形絵の具１には色を特定する表示３８が付されており、収容箱３の収容区画にも色を特定する表示３７が付されている。【選択図】図６
2017218225.tif 000002
【特許請求の範囲】
【請求項１】
収容区画が複数設けられた収容箱と、複数の固形絵の具によって構成され、収容箱の収容区画に固形絵の具が一個ずつ配置された絵の具セットにおいて、
固形絵の具には色を特定する表示が付されており、収容箱の収容区画又はその近傍にも色を特定する表示が付されていることを特徴とする絵の具セット。
【請求項２】
収容区画が複数設けられた収容箱と、複数の固形絵の具によって構成され、収容箱の収容区画に固形絵の具が一個ずつ配置された絵の具セットにおいて、
収容箱の収容区画又はその近傍に固形絵の具の色を特定する表示が付されていることを特徴とする絵の具セット。
【請求項３】
前記収容区画は底面壁と側面壁を有し上面が開放された凹部であり、
固形絵の具は平面断面における各角にアール部があり、前記収容区画の内側であって側面壁同士が接する角の部位にもアールがあり、固形絵の具のアールは、前記収容区画のアールよりも大きいことを特徴とする請求項１又は２に記載の絵の具セット。
【請求項４】
固形絵の具が前記収容区画に配された状態において、収容区画の縁が固形絵の具よりも上にあることを特徴とする請求項１乃至３のいずれかに記載の絵の具セット。
【請求項５】
前記収容区画は底面壁と側面壁を有し上面が開放された凹部であり、
固形絵の具の全高は、前記凹部の深さよりも低いことを特徴とする請求項１乃至４のいずれかに記載の絵の具セット。
【請求項６】
固形絵の具は断面形状が略台形であって底辺と上辺と左右側辺を有し、底辺は上辺よりも短いことを特徴とする請求項１乃至５のいずれかに記載の絵の具セット。
【請求項７】
前記収容区画は底面壁と側面壁を有し上面が開放された凹部であり、
前記収容区画の凹部は、開口側から底面に向かうほど狭いことを特徴とする請求項１乃至６のいずれかに記載の絵の具セット。
【請求項８】
前記収容区画は底面壁と側面壁を有し上面が開放された凹部であり、
固形絵の具の外形は、収容区画の凹部よりも小さく、固形絵の具を前記収容区画に配置した状態のときに固形絵の具のいずれかの側面と、収容区画のいずれかの側壁面との間に隙間が生じることを特徴とする請求項１乃至７のいずれかに記載の絵の具セット。
【請求項９】
収容区画が複数設けられた収容箱と、複数の固形絵の具によって構成され、収容箱の収容区画に固形絵の具が一個ずつ配置された絵の具セットにおいて、
収容箱の収容区画の近傍には収容区画に収容される固形絵の具を画材に塗布した際における色の着色部があることを特徴とする請求項１乃至８のいずれかに記載の絵の具セット。
【請求項１０】
前記着色部は、所定の方向に沿って色の濃淡が淡くなるように変化するグラデーション模様が形成される部分を有することを特徴とする請求項９に記載の絵の具セット。
【請求項１１】
前記着色部は、一の前記固形絵の具に対応する複数の色表示部を有し、複数の前記色表示部は列状に配され、それぞれが濃淡の異なる色を表するものであり、
並列方向における一端部に位置する前記色表示部が表する色が最も濃く、他の前記色表示部は、並列方向における一端部側に隣接する前記色表示部が表する色よりも淡い色を表することを特徴とする請求項９に記載の絵の具セット。
【請求項１２】
固形絵の具を収容する収容区画が複数設けられた絵の具収容箱において、
収容箱の収容区画又はその近傍に色を特定する表示が付されており、
前記収容区画は底面壁と側面壁を有し上面が開放された凹部であり、
収容される固形絵の具は平面断面における各角にアール部があり、前記収容区画の内側であって側面壁同士が接する角の部位にもアールがあり、前記収容区画のアールは、固形絵の具のアールよりも小さく、
前記凹部の深さは固形絵の具の全高よりも深く、
固形絵の具は断面形状が略台形であって底辺と上辺と左右側辺を有し、底辺は上辺よりも短く、
前記収容区画の凹部は、開口側から底面に向かうほど狭く、
収容区画の凹部は、固形絵の具の外形よりも大きく、固形絵の具を前記収容区画に配置した状態のときに固形絵の具のいずれかの側面と、収容区画のいずれかの側壁面との間に隙間が生じることを特徴とする絵の具収容箱。
【発明の詳細な説明】
【技術分野】
【０００１】
本発明は、複数の収容区画を有する収容箱に固形絵の具が収容された絵の具セットに関するものである。また本発明は、複数の収容区画を有する絵の具収容箱に関するものである。
【背景技術】
【０００２】
絵の具の一形態として、特許文献１，２に開示された様な固形水彩絵の具がある。固形水彩絵の具（以下  単に固形絵の具と略称する場合がある）は、水性の絵の具組成物が一定の固形形状に成形されたものである。固形絵の具は多くの場合、高さの低い収容箱に多数の色が収容されて販売され、使用される。即ち固形絵の具は、絵の具セットとして販売され、使用される場合が多い。
固形絵の具をセットする収容箱は、固形絵の具を収容する収容区画を多数有している。そして各収容区画に色違いの固形絵の具が収容されている。
使用者は、筆を濡らして収容区画内の固形絵の具の表面を撫で、固形絵の具の一部を溶かして筆に付着させる。そしてパレットで筆に付着した絵の具を延ばし、紙に塗布して絵を描く。
【０００３】
固形絵の具のセットは、一般に小型であるから携行に便利である。そのため使用者は固形絵の具のセットを手軽に持ち運び、屋外等で絵の創作を楽しむことができる。
【先行技術文献】
【特許文献】
【０００４】
【特許文献１】特開２００７−９１９８号公報
【特許文献２】特開２００７−２７６１１６号公報
【発明の概要】
【発明が解決しようとする課題】
【０００５】
前記した様に固形絵の具は、多数の色がセット物として販売されるが、各色の消費量は一様ではない。
例えば風景を描くことが多い使用者であれば、緑色や青色の消費量が他の色に比べて多くなる。また似顔絵を描くことが多い使用者であれば、肌色、赤、黒、茶色といった色の消費量が他の色に比べて多くなる。そのため特定の色の固形絵の具が多く消費されて使い尽くされ、他の色の固形絵の具は、購入時とほとんど変わらない状態であって新品同様であるという場合もある。
この様な場合、使用者は特定の色の固形絵の具を買い求め、固形絵の具が消費されて使い尽くされ、空き室状態となった収容区画に購入した色の固形絵の具をはめ込んで使用する。
【０００６】
使用者が補充用に固形絵の具を買い求める際には、消費した元の固形絵の具と同じ色の絵の具を買うこととなる。しかしながら、固形絵の具の色は多種多様であり、購入の際に迷うことがある。
例えば赤系統の色を例にとれば赤、紅、紅色、紅緋、薔薇色等の種類がある。これらは素人には見分けが付きにくい。特に固形水彩絵の具は、顔料が濃縮されており、水に溶かした状態の色に比べて暗い色調となり、同じ系統（例えば赤系統、黒系統等）は同じ様な色に見える。
一方、間違った色の固形絵の具を購入し、実際に絵を描いてみると、以前とは色の感覚が違うことに気づく。即ち固形絵の具は顔料が濃縮されているので、同じ系統の固形絵の具は、おしなべて同じ様な色に見える。しかしその一方、固形絵の具を水に溶かして薄めると、素人目にも各色の違いが明確に判る。
【０００７】
また使用者は、自宅等で購入した色の固形絵の具を収容区画にはめ込むこととなる。
購入した固形絵の具を収容区画にはめ込む場合、収容区画を洗浄して固形絵の具の残さを除去する場合がある。ここで、複数種類の固形絵の具を買い求め、固形絵の具を収容するために複数の収容区画を洗浄してしまうと、固形絵の具を収容すべき収容区画がどれであったのか分からなくなってしまう場合がある。
そこで本発明は、従来技術の上記した問題点に注目し、元の色と同じ色の固形絵の具を誤りなく購入することが可能な絵の具セットや、元の収容区画に誤りなく装着することが可能な絵の具セットを開発することを課題とするものである。また本発明は、同様の課題を解決する絵の具収容箱を提供するものである。
【課題を解決するための手段】
【０００８】
上記した課題を解決するための態様は、収容区画が複数設けられた収容箱と、複数の固形絵の具によって構成され、収容箱の収容区画に固形絵の具が一個ずつ配置された絵の具セットにおいて、固形絵の具には色を特定する表示が付されており、収容箱の収容区画又はその近傍にも色を特定する表示が付されていることを特徴とする絵の具セットである。
【０００９】
本態様の絵の具セットは、固形絵の具及び収容箱に、色を特定する表示が付されている。そのため補充用の固形絵の具を購入する際に、収容箱に付された表示を参照し、同一色の固形絵の具を購入することができる。また購入した固形絵の具を、収容箱に付された表示を参照し、元の収容区画に誤りなく入れることができる。
【００１０】
また、他の態様は、収容区画が複数設けられた収容箱と、複数の固形絵の具によって構成され、収容箱の収容区画に固形絵の具が一個ずつ配置された絵の具セットにおいて、収容箱の収容区画又はその近傍に固形絵の具の色を特定する表示が付されていることを特徴とする絵の具セットである。
【００１１】
この態様においても、収容箱に付された表示を参照し、固形絵の具を元の収容区画に誤りなく入れることができる。
【００１２】
前記収容区画は底面壁と側面壁を有し上面が開放された凹部であり、固形絵の具は平面断面における各角にアール部があり、前記収容区画の内側であって側面壁同士が接する角の部位にもアールがあり、固形絵の具のアールは、前記収容区画のアールよりも大きいことが望ましい。
【００１３】
上記した各態様において、固形絵の具が前記収容区画に配された状態において、収容区画の縁が固形絵の具よりも上にあることが望ましい。
【００１４】
上記した各態様において、前記収容区画は底面壁と側面壁を有し上面が開放された凹部であり、固形絵の具の全高は、前記凹部の深さよりも低いことが望ましい。
【００１５】
上記した各態様において、固形絵の具は断面形状が略台形であって底辺と上辺と左右側辺を有し、底辺は上辺よりも短いことが望ましい。
【００１６】
上記した各態様において、前記収容区画は底面壁と側面壁を有し上面が開放された凹部であり、前記収容区画の凹部は、開口側から底面に向かうほど狭いことが望ましい。
【００１７】
上記した各態様において、前記収容区画は底面壁と側面壁を有し上面が開放された凹部であり、固形絵の具の外形は、収容区画の凹部よりも小さく、固形絵の具を前記収容区画に配置した状態のときに固形絵の具のいずれかの側面と、収容区画のいずれかの側壁面との間に隙間が生じることが望ましい。
【００１８】
上記した各態様において、収容区画が複数設けられた収容箱と、複数の固形絵の具によって構成され、収容箱の収容区画に固形絵の具が一個ずつ配置された絵の具セットにおいて、収容箱の収容区画の近傍には収容区画に収容される固形絵の具を画材に塗布した際における色の着色部があることが望ましい。
【００１９】
この態様では、固形絵の具を画材に塗布した際の色を示す着色部が設けられているので、使用時に絵の具を筆等の塗布具に付着させるとき、使用者のイメージ通りの色を筆等に付着させることができる。言い換えると、収容時における固形絵の具の色（水に溶かした状態の色に比べて暗い色調の色）と、使用時の色（水に溶かした状態の色）の違いに起因して発生する使用者による絵の具の誤選択を抑制できる。
【００２０】
上記の態様では、前記着色部は、所定の方向に沿って色の濃淡が淡くなるように変化するグラデーション模様が形成される部分を有することが望ましい。
【００２１】
上記の態様では、前記着色部は、一の前記固形絵の具に対応する複数の色表示部を有し、複数の前記色表示部は列状に配され、それぞれが濃淡の異なる色を表するものであり、並列方向における一端部に位置する前記色表示部が表する色が最も濃く、他の前記色表示部は、並列方向における一端部側に隣接する前記色表示部が表する色よりも淡い色を表することが望ましい。
【００２２】
これらの態様では、加水量に応じて変化する使用時の色（水に溶かした状態の色）を一つだけでなく複数表示し、加水量に応じた変化が判るように各色を示すので、より確実に使用者による絵の具の誤選択を抑制できる。
なお、ここでいう「濃淡が変化する」とは、色相、明度、彩度のうち、少なくとも明度が変化するものである。したがって、「淡くなるように変化する」とは、少なくとも明度が高くなるように変化するものである。
【００２３】
同様の課題を解決するもう一つの態様は、固形絵の具を収容する収容区画が複数設けられた絵の具収容箱において、収容箱の収容区画又はその近傍に色を特定する表示が付されており、前記収容区画は底面壁と側面壁を有し上面が開放された凹部であり、収容される固形絵の具は平面断面における各角にアール部があり、前記収容区画の内側であって側面壁同士が接する角の部位にもアールがあり、前記収容区画のアールは、固形絵の具のアールよりも小さく、前記凹部の深さは固形絵の具の全高よりも深く、固形絵の具は断面形状が略台形であって底辺と上辺と左右側辺を有し、底辺は上辺よりも短く、前記収容区画の凹部は、開口側から底面に向かうほど狭く、収容区画の凹部は、固形絵の具の外形よりも大きく、固形絵の具を前記収容区画に配置した状態のときに固形絵の具のいずれかの側面と、収容区画のいずれかの側壁面との間に隙間が生じることを特徴とする絵の具収容箱である。
【発明の効果】
【００２４】
本発明によると、補充用の固形絵の具を購入する際、元の色と同じ色の固形絵の具を誤りなく購入することや、購入した補充用の固形絵の具を、元の収容区画に誤りなく装着することができる。
【図面の簡単な説明】
【００２５】
【図１】本発明の実施形態の絵の具セットの外観を示す斜視図である。
【図２】図１の絵の具セットの蓋を開いた状態の斜視図である。
【図３】図１の絵の具セットの蓋を開き、内部のパレットを取り外した状態の斜視図である。
【図４】図１の絵の具セットのパレットを箱本体に取り付けた状態を示す斜視図であり、（ａ）は箱本体の側辺側にパレットを取り付けた状態であり、（ｂ）は箱本体の正面側にパレットを取り付けた状態である。
【図５】（ａ）は図１の絵の具セットのパレットの裏面図であり、（ｂ）は他の実施形態のパレットの裏面図である。
【図６】図１の収容箱の収容区画の拡大図であり、固形水彩絵の具がすべて新品の状態を示す。
【図７】図１の収容箱の収容区画の拡大図及び本発明の実施形態の固形水彩絵の具の斜視図であり、一部の固形水彩絵の具が使い尽くされている状態を示す。
【図８】（ａ）乃至（ｄ）は、収容箱の収容区画内を清掃して固形水彩絵の具を装着する手順を示す収容区画の断面図である。
【図９】（ａ）乃至（ｃ）は収容箱の収容区画に本発明の第一実施形態の固形水彩絵の具を挿入する際の手順を示す断面図である。
【図１０】（ａ）乃至（ｃ）は収容箱の収容区画に本発明の第二実施形態の固形水彩絵の具を挿入する際の手順を示す断面図である。
【図１１】本発明の実施形態の固形水彩絵の具の本体部を示し、（ａ）はその正面図、（ｂ）はその平面図、（ｃ）はその側面図である。
【図１２】本発明の実施形態の固形水彩絵の具が収容箱の収容区画に収容された状態を示す平面図である。
【図１３】（ａ）（ｂ）は、本発明の実施形態の固形水彩絵の具を使用する際の筆の動きを示す説明図である。
【図１４】本発明の他の実施形態の絵の具セットの蓋を開き、内部のパレットを取り外した状態の斜視図である。
【図１５】上記した各実施形態とは異なる実施形態に係る収容箱の収容区画の拡大図であり、収容区画に収容される固形水彩絵の具を省略して示す図であって、（ａ）、（ｂ）はそれぞれ異なる収容箱の収容区画を示す。
【図１６】上記した各実施形態とは異なる実施形態に係る収容箱の収容区画の拡大図であり、収容区画の近傍に着色部を設けた状態を示す図である。
【図１７】上記した各実施形態とは異なる実施形態に係る収容箱の収容区画の拡大図であり、収容区画の近傍に図１６とは異なる着色部を設けた状態を示す図である。
【発明を実施するための形態】
【００２６】
以下に本発明の実施形態の絵の具セット８について説明する。絵の具セット８は、一つの絵の具収容箱２（以下  単に収容箱２とも称す）と、パレット６と、多数の固形水彩絵の具１（固形絵の具）によって構成されている。
【００２７】
収容箱２は、本体箱３と蓋５及びパレット６によって構成されている。蓋５は、図示しないヒンジ構造によって本体箱３の一辺に取り付けられており、本体箱３に対して揺動可能であって本体箱３を開閉するものである。
パレット６は、本体箱３に対して着脱自在である。
【００２８】
収容箱２の本体箱３は、中央に絵の具収容領域１０がある。また絵の具収容領域１０の両脇に筆を拭うためのスポンジ１１が収容されている。さらに本体箱３の中には、筆を収容する筆収容部１２がある。なお絵の具収容領域１０の両脇に入れるものは任意であり、本実施形態の様にスポンジ１１であってもよく、他の物であってもよい。絵の具収容領域１０の一方だけにスポンジ１１があり、他方は他の物入れであってもよい。
本体箱３の四隅には、係合穴１７ａ，ｂ，ｃ，ｄが設けられている。
【００２９】
パレット６は、上面側が絵の具を溶くための区画が形成されている。
またパレット６の長辺側の側面には、凹変部２５ａ，ｂが形成されている。
図３、図５の様にパレット６の裏面側の四隅には、係合ピン１８ａ，ｂ，ｃ，ｄが形成されている。
【００３０】
係合ピン１８ａ，ｂ，ｃ，ｄは、中空であり、且つスリット２３ａ，ｂが設けられている。スリット２３ａ，ｂは、いずれの係合ピン１８ａ，ｂ，ｃ，ｄにおいても１８０度離れた位置に設けられている。
本実施形態では、図５（ａ）の様に、パレット６の各長辺側に設けられた係合ピン１８ａ，ｂ，ｃ，ｄは、スリット２３ａ，ｂの向きが一致し、対向する長辺側の設けられた係合ピン１８ａ，ｂ，ｃ，ｄのスリット２３ａ，ｂの向きは、９０度異なっている。
具体的には、一方の長辺側に設けられた係合ピン１８ａ，ｄのスリット２３ａ，ｂの向きは、長辺に対して直交する方向に開いており、他方の長辺側に設けられた係合ピン１８ｂ，ｃのスリット２３ａ，ｂの向きは、長辺に対して平行に開いている。
【００３１】
スリット２３ａ，ｂの向きは限定されるものではなく、図５（ｂ）の様に、対向する位置にある係合ピン１８ａ，ｃのスリット２３ａ，ｂの向きが一致し、隣接する位置にある係合ピン１８ｂ，ｄのスリット２３ｂ，ｄの向きが異なっていてもよい。
【００３２】
パレット６は、収容時には図３の様に、裏面の四隅の係合ピン１８ａ，ｂ，ｃ，ｄを、本体箱３の四隅の係合穴１７ａ，ｂ，ｃ，ｄに係合させ、本体箱３の内面を覆う。そして図１の様に蓋５が閉められる。
パレット６を使用する際には、図２の様に蓋５を開き、パレット６の凹変部２５を手で摘んでパレット６を本体箱３から外し、図４（ａ）（ｂ）の様に、裏面の四隅の係合ピン１８ａ，ｂ，ｃ，ｄの内の２本を本体箱３のいずれか２個の係合穴１７ａ，ｂ，ｃ，ｄと係合させてパレット６を本体箱３から張り出した状態とする。
【００３３】
前記したスリット２３ａ，ｂは、パレット６の係合ピン１８ａ，ｂ，ｃ，ｄを係合穴１７ａ，ｂ，ｃ，ｄに挿入する際、係合ピン１８ａ，ｂ，ｃ，ｄが容易に縮径する様に形成されたものである。
スリット２３ａ，ｂの向きによって、係合ピン１８ａ，ｂ，ｃ，ｄの曲げ剛性が変わるので、予想されるパレット６の取り付け姿勢に応じてスリット２３ａ，ｂの向きを選択することが望ましい。
例えば、パレット６を主として図４（ｂ）の様に本体箱３の長辺側に装着することを想定している場合には、図５（ａ）の様に各長辺側に設けられた係合ピン１８ａ，ｂ，ｃ，ｄのスリット２３ａ，ｂの向きが一致し、対向する長辺側の設けられた係合ピン１８ａ，ｂ，ｃ，ｄのスリット２３ａ，ｂの向きが異なっていることが望ましい。
また図４（ａ）の使用形態と、図４（ｂ）の使用形態の双方が想定される場合には、図５（ｂ）の様に、対向する位置にある係合ピン１８ａ，ｃのスリット２３ａ，ｂの向きが一致し、隣接する位置にあるスリット２３ｂ，ｄの向きが異なっていることが望ましい。
【００３４】
絵の具収容領域１０には、複数の収容区画１５が形成されている。本実施形態では、合計４８個の収容区画１５が、図３，４の様に８行６列に配列されている。
収容区画１５は、真空成形等によって形成され、底面壁と側面壁を有し上面が開放された凹部である。即ち収容区画１５は、図８、１３の様にいずれも底面１３を有している、また各収容区画１５は、隔壁１６によって長方形に囲まれている。
収容区画１５の凹部の内壁は緩いテーパ状であり、収容区画１５は開口側から底面１３に向かうほど狭くなっている。凹部の内壁のテーパは、１度から５度程度であり、本実施形態では、２度程度である。
【００３５】
図６，７，１２の様に、各収容区画１５には、色を特定する表示３７が付されている。色を特定する表示３７は、色名、色番号、色票番号、カラーコード、マンセル記号等の表示であり、文字、数字、記号又はこれらの組み合わせで色を特定するものである。色を特定する表示３７には、公的な機関や協会、組合等によって定められているものや、認定されたものがある。また色を特定する表示は、絵の具等を製造する業者等が独自に定めた表示であってもよい。
すなわち、色を特定する表示３７は、色名、色番号、色票番号、カラーコード、マンセル記号のいずれかであってもよい。また、収容箱２に付された色を特定する表示３７は、着色表示であってもよい。言い換えると、表示３７は、文字、数字、記号、着色表示又はこれらの組み合わせのいずれかである。
【００３６】
本実施形態では、色を特定する表示３７は、各収容区画１５の凹部を仕切る隔壁１６の峰の部分に設けられている。
より正確には、各収容区画１５を仕切る隔壁１６であって、本体箱３の長辺と平行に延びる辺であり、蓋５を開き、蓋５側を上として各収容区画１５の下辺側に色を特定する表示３７が付されている。
即ち色を特定する表示３７は、各収容区画１５の凹部の近傍であって、収容区画１５を特定できる位置に付されている。
【００３７】
本実施形態では、色を特定する表示３７は、レーザ等によって焦げて黒色化した線で描かれており、洗っても取れない。
表示３７を形成する方法は、限定されるものではなく、容易に取れたり消えたりすることがない方法であればよい。例えば印刷やシール、焼き判等の方法によって表示３７を設けることができる。
【００３８】
固形絵の具１は、水溶性の絵の具組成物を一定の固形形状に成形したものである。本実施形態では、固形絵の具１は略直方体に成形されている。より正確には、固形絵の具１の断面形状は、図９の様に逆台形形状である。即ち固形絵の具１の断面形状は、底辺２０と、上辺２１と、左右側辺２２ａ，ｂで囲まれた台形形状であり、底辺２０の長さは上辺２１に比べて短い。そのため固形絵の具１の断面形状は、テーパー状を呈している。
本実施形態では、固形絵の具１の上辺２１は僅かに膨らみがあり、円弧状となっている。固形絵の具１の上辺２１と左右側辺２２ａ，ｂとの間にはアール部４０があり、円弧形状である。
本実施形態では、固形絵の具１の各角は、図７、図９の様にすべてアール加工が施されている。
【００３９】
図１１に示すように固形絵の具１を平面視したとき、各角の部分にアール部４０があり、当該部分は円弧形状である。即ち固形絵の具１は、略直方体であって６面体であり、図７の様に、上面４３と底面４５と、４側面４６ａ，ｂ，ｃ，ｄによって構成されている。そして４側面４６ａ，ｂ，ｃ，ｄの隣接する稜線にアール部４０があり、当該部分は円弧形状である。
なお固形絵の具１のアール部４０のアールは、図１２の様に、各収容区画１５の隔壁１６が接合される部分の角のアールよりも大きい。
即ち固形絵の具１のアール部４０のアールは、収容箱２の該当部分のアールよりも大きい。
【００４０】
固形絵の具１の外形は、収容区画１５の凹部よりも小さい。図１３の様に固形絵の具１の全高ｈは、収容区画１５の凹部の深さＨよりも低い。なお図１３では、収容区画１５の凹部の内壁のテーパをやや誇張して描いている。
【００４１】
固形絵の具１の成形方向は任意であるが、本実施形態では、原料を混練りしたものを押出機で押し出し、それを一定の寸法に切断して直方体のブロック状固形物を切り取る。そしてそのブロック状固形物を金型で挟んで、断面形状を五角形に成形する。なお金型で挟む際に、各角にアールが形成される。
【００４２】
本実施形態では、固形絵の具１に、色を特定する表示３８が付されている。具体的には、固形絵の具１の上面４３に、色番号が刻印されている。色を特定する表示３８は、固形絵の具１の他の面に刻印されていてもよい。また表示方法は、刻印の他、シール等を付する方法であってもよい。
色を特定する表示３８の内容は、前記した収容区画１５に設けられた色を特定する表示３７と同じである。
【００４３】
なお、固形絵の具１の色を特定する表示３８もまた、収容区画１５に設けられた色を特定する表示３７と同様に、色名、色番号、色票番号、カラーコード、マンセル記号のいずれかの表示であってもよい。つまり、この表示３８は、文字、数字、記号又はこれらの組み合わせ、着色表示のいずれかで色を特定するものである。この色を特定する表示３８もまた、公的な機関や協会、組合等によって定められたものや、認定されたものがある。さらに、絵の具等を製造する業者等が独自に定めた表示であってもよい。
【００４４】
固形絵の具１は、絵の具セットとして工場から出荷される際の物と、補充用にバラ売りされる物でやや構造が違っている。
絵の具セットとして工場から出荷される際の固形絵の具１は、底の部分に接着剤が塗布された状態で収容区画１５の凹部に収容され、固形絵の具１は接着剤で収容区画１５に固定されている。
【００４５】
一方、補充用にバラ売りされる固形絵の具１は、図９に示す様に固形絵の具１の本体部７の底面４５に、接着剤層２７が設けられている。
第１実施形態の固形絵の具１では、接着剤層２７は、両面テープ２８によって形成されている。ここで両面テープ２８は、樹脂製の基材３１を有し、その両面に接着層３３，３５が積層されたものである。また一方の接着層３５には、離型紙３６（離型シート）が設けられている。なお接着層３３，３５の主成分は、絵の具組成物にも含有されているものであることが望ましい。
【００４６】
固形絵の具１では、本体部７の底面４５に両面テープ２８の接着層３３が接しており、接着層３３によって両面テープ２８が本体部７の底面４５に固定されている。固形絵の具１の最底の部位には両面テープ２８の離型紙３６（離型シート）がある。
第１実施形態の固形絵の具１では、離型紙３６を剥がすと、一方の接着層３５が露出する。露出した接着層３５は、そのままの状態で粘着性を有しており、他の部材に貼り付けることができる。
【００４７】
本実施形態の絵の具セット８では、図３，６の様に、収容箱２の収容区画１５に、固形絵の具１が一個ずつ収容されている。
前記した様に、収容区画１５には色を特定する表示３７が付されており、固形絵の具１にも同様に色を特定する表示３８が付されている。
本実施形態では、収容区画１５に形成された表示３７と固形絵の具１に付された表示３８は一致する。逆に言えば、収容区画１５の付された表示３７と同じ表示３８を有する固形絵の具１が、収容区画１５に収容されている。そのため工場で固形絵の具１を収容区画１５に入れる際における入れ間違いが少ない。
【００４８】
前記した様に固形絵の具１の外形は、収容区画１５の凹部よりも小さく、固形絵の具１を収容区画１５に配置した状態のとき、固形絵の具１のいずれかの側面と、収容区画１５のいずれかの側壁面との間に隙間が生じる。
具体的には、０．５ｍｍから３ｍｍ程度の隙間ができる。
【００４９】
本実施形態の絵の具セット８は、図１３の様に固形絵の具１の全高ｈは、収容区画１５の凹部の深さＨよりも低いので、固形絵の具１の上面４３は、全体的に収容区画１５の各縁３２よりも下となる。本実施形態では、固形絵の具１の上面４３の最も高い部分と収容区画１５の各縁３２との間には、０．３ｍｍから３ｍｍ程度の落差がある。より望ましい落差は、０．４ｍｍから２ｍｍ程度である。
【００５０】
本実施形態の絵の具セット８を使用する際には、図１３の様に、水を含ませた筆４１で、固形絵の具１の表面を撫で、溶解した絵の具を筆４１に付着させる。
ここで本実施形態では、前記した様に固形絵の具１の上面４３は、全体的に収容区画１５の縁３２よりも下にあるから、図１３（ｂ）の様に、収容区画１５の各縁３２で、筆４１の水切りをしたとき、筆４１から落ちた水の雫は、当該収容区画１５内に落ちる。そのため筆４１から落ちた水の雫は、隣接する収容区画１５に入らず、色混じりが起こりにくい。
【００５１】
次に、固形絵の具１を収容区画１５に装着する際の手順について説明する。以下の説明は、絵の具セット８を長期間に渡って使用し、幾つかの収容区画１５の固形絵の具１が小さくすり減ってしまい、新たに購入した固形絵の具１と入れ換える場合を想定したものである。
即ち固形絵の具１は、補充用の固形絵の具であり、図７の様に、いずれかの固形絵の具１が使い尽くされた際に、元の固形絵の具１があった収容区画１５に装着される。
なお本実施形態では、各収容区画１５に色を特定する表示３７が付されているので、使用者は各収容区画１５に記された表示３７と同じ表示３８が刻印された固形絵の具１を買い求め、元の固形絵の具１があった収容区画１５に新たな固形絵の具１を装着する。
【００５２】
固形絵の具１を収容区画１５に装着する際には、空き状態となった収容区画１５を清掃することが望ましい。
清掃の手順は、図８の通りである。即ち空き状態となった収容区画１５には、図８（ａ）の様に収容区画１５の底面１３に、元の固形絵の具１の残さ１０１が残っている。収容区画１５を清掃する際には、図８（ｂ）の様に収容区画１５に水５２を入れて暫く放置する。その結果、元の固形絵の具１の残さ１０１が軟化するので、図８（ｃ）の様に収容区画１５に溜めた水を抜き、残さ１０１をはぎ取る。そして図８（ｄ）の様に、清掃後の収容区画１５に、新たな固形絵の具１を装着する。
【００５３】
清掃された収容区画１５に固形絵の具１を装着する手順は、図９の通りである。具体的には、図９（ａ）の様に離型紙３６が装着されている状態から、図９（ｂ）の様に離型紙３６を剥がし、接着層３５を露出させる。そして図９（ｃ）の様に固形絵の具１を収容区画１５の凹部に押し込み、固形絵の具１の底に露出した接着層３５を収容区画１５の底面１３に押し当て、接着層３５を収容区画１５の底面１３に接着する。その結果、固形絵の具１は、収容区画１５に一体的に固定される。そのため携行時等に振動を受けても、固形絵の具１が収容区画１５から飛び出すことはない。
【００５４】
本実施形態の固形絵の具１では、接着剤層として両面テープ２８を採用することにより、次の様な利点がある。
（１）使用者が容易に固形絵の具を収容区画１５に装着することができる。
（２）両面テープ２８は厚さが均一であるから、収容区画１５の底面１３に固定しやすく、且つ装着後における固形絵の具１の高さを他の固形絵の具１に揃えやすい。
（３）液状の接着剤や固形接着剤は、固形絵の具１の本体部７に塗った直後はべとつくが、両面テープ２８は離型紙３６（離型シート）が設けられているのでべとつくことはない。
（４）液状の接着剤や固形接着剤は、乾燥、硬化にある程度の時間を要し、収容区画１５に固形絵の具１を押し当ててからしばらくの間はべとつくが、両面テープ２８は接合直後に接着力を発揮するので、べとつきにくい。
（５）液状の接着剤は、硬化後に収縮する物が多く、固形絵の具１の表面を脆くする場合があるが、両面テープ２８はその懸念が少ない。
また両面テープ２８の基材３１にクッション性を有するものを採用すれば、収容区画１５の底面１３に古い固形絵の具１の残さ１０１が多少残っていても、固形絵の具１を収容区画１５内に収容することができる。
【００５５】
また本実施形態の固形絵の具１は、断面形状が逆台形形状であって断面形状がテーパー状を呈しているから、固形絵の具１の底面４５は収容区画１５の開口部よりも小さい。そのため固形絵の具１を収容区画１５に入れやすい。
また本実施形態の固形絵の具１のアール部４０は、図１２の様に、各収容区画１５の隔壁１６が接合される部分の角のアールよりも大きいので、収容区画１５の角と固形絵の具１の間に適度の隙間４７が生じ、固形絵の具１を収容区画１５に入れやすい。
【００５６】
以上説明した実施形態では、固形絵の具１の底面４５に両面テープ２８を設けたが、第二実施形態の固形絵の具５０の様に、固形絵の具１の底面４５に接着剤層５１を直接設けてもよい。
本実施形態の固形絵の具５０では、接着剤層５１として、水性の接着剤が選定されている。また本実施形態の固形絵の具５０では、接着剤層５１の主成分は、固形絵の具１の本体部７にも含有されている。
【００５７】
本実施形態の固形絵の具５０を収容区画１５に装着する手順は、図１０の通りである。即ち本実施形態の固形絵の具５０は、図１０（ａ）の様に乾燥状態の接着剤層５１を有している。本実施形態では、図１０（ｂ）の様に固形絵の具５０の底面４５を水５２に漬け、接着剤層５１を軟化させる。
そして図１０（ｃ）の様に固形絵の具５０を収容区画１５の凹部に押し込み、固形絵の具５０の接着剤層５１を収容区画１５の底面１３に押し当て、接着剤層５１を収容区画１５の底面１３に接着する。その結果、固形絵の具５０は、収容区画１５に対して一体的に固定される。そのため携行時等に振動を受けても、固形絵の具５０が収容区画１５から飛び出すことはない。
【００５８】
以上説明した実施形態の絵の具セット８は、４８色セットであるが、色数については制限はない。図１４に記載の絵の具セット４２は、３６色セットの構成である。
【００５９】
以上説明した絵の具セット８では、パレット６に係合ピン１８ａ，ｂ，ｃ，ｄを設け、本体箱３に係合穴１７ａ，ｂ，ｃ，ｄを設けたが、本体箱３に係合ピン１８ａ，ｂ，ｃ，ｄを設け、パレット６に係合穴１７ａ，ｂ，ｃ，ｄを設けてもよい。
【００６０】
以上説明した絵の具セット８では、色を特定する表示３７は、各収容区画１５の凹部を仕切る隔壁１６の峰の部分であって、各収容区画１５の下辺側に形成されているが、表示３７の位置はこの場所に限定されるものではない。
例えば、各収容区画１５の上辺側に表示３７を設けてもよく、各収容区画１５の左右の辺側に表示３７を設けてもよい。さらに各収容区画１５の内壁に表示３７を設けてもよい。
【００６１】
さらに、図１５（ａ）で示されるように、各収容区画１５の底面１３に表示３７を設けてもよい。また、図１５（ｂ）で示されるように、各収容区画１５の隔壁１６のうち、凹部（固形絵の具１を収容する空間）側を向く面（側壁面）に表示３７を設けてもよい。つまり、各収容区画１５の内壁に表示３７を設けてもよい。
すなわち、各収容区画１５において、凹部を形成する底面１３と複数の側壁面のうちの一以上の部分に表示３７を設けてもよい。また、複数の（例えば２つの）側壁面に跨るように、表示３７を設けてもよい。
当然のことながら、隔壁１６の峰、各収容区画１５の内壁のいずれか一方に表示３７を設けてもよく、双方に表示３７を設けてもよい。
【００６２】
さらに、図１６、図１７で示されるように、各収容区画１５の凹部の近傍であって、収容区画１５を特定できる位置には、収納する固形絵の具１の使用時の色（水に溶かした状態の色）に対応する着色部７０を設けてもよい。
すなわち、上記した実施形態では、収納する固形絵の具１の固形時の色（収納時の色）を特定する表示３７，３８を設けた例を示したが、これに替わって（又はこれに加えて）、収納する固形絵の具１の使用時の色を表す着色部７０を設けてもよい。
【００６３】
ここで、上記した固形絵の具１は、水に溶かした状態で紙等の画材に塗布して使用することを想定したものであるが、画材に塗布した際の色（着色時の色）は、加水量で異なる色（少なくとも明度が異なる色）となる。
【００６４】
そこで、図１６に示されるように、位置に対して色が連続的に変化する着色部７０（以下、連続表示部７５とも称す）を設けてもよい。
この連続表示部７５は、平面視形状が横長長方形状であって、長手方向の一端側から端側に向かう各部で異なる色を表しており、長手方向の他端側に近づくにつれて表する色の濃淡が淡く変化していく。すなわち、長手方向の他端側に近づくにつれて、より加水量が多い状態の色を示すものとなっており、表する色が連続的に変化している。言い換えると、変化の状態を所謂グラデーションで表すものとなっている。
なお、図１６、図１７では、作図の都合上、異なる固形絵の具１のそれぞれに対応する着色時の各色をいずれもグレースケールで示す。
【００６５】
これに対し、図１７で示されるように、複数の表示窓部７６ａ（色表示部）によって構成される着色部７０（以下、断続表示部７６とも称す）を設けてもよい。
この断続表示部７６では、複数（本実施形態では４つ）の表示窓部７６ａが、それぞれ所定の間隔を空けて列状に配されるものであり、より詳細には、平面視における各収容区画１５の下辺（又は上辺）の延び方向に沿う方向に並列配置されている。
【００６６】
そして、並列方向における一端側（図１７における左端側）に位置する表示窓部７６ａが表する色が最も濃く、他端側に（図１７における右端側）に位置する表示窓部７６ａが表する色が最も淡い。すなわち、それぞれの表示窓部７６ａは、配置位置が並列方向における一端側から他端順に近づいていくにつれ、より淡い色（加水量が多い状態の色）を示すものとなっている。言い換えると、並列方向において最も一端側に位置する表示窓部７６ａを除く他の表示窓部７６ａは、並列方向における一端部側に隣接する他の表示窓部７６ａが表する色よりも淡い色を表している。
なお、このとき、隣接する２つの表示窓部７６ａが表する色は必ずしも連続的に変化した色でなくてもよく、上記した連続表示部７５において長手方向で離れた２箇所が表する色であってもよい。
【００６７】
また、上記した着色部７０（連続表示部７５、断続表示部７６）では、いずれも複数の色（それぞれが異なる量の水で溶いた複数の色）を連続的、又は断続的に表示する例について説明したが、本発明はこれに限るものではない。
着色部が表示する色は、固形絵の具１を所定量の水で溶いた状態の一つの色であってもよい。
【００６８】
また、上記した連続表示部７５で色の変化の状態を示す場合、固形時の色を着色表示で表する表示３７と一体的に形成してもよい。すなわち、グラデーションの一部に固形時の色が含まれていてもよい。
同様に、断続表示部７６の表示窓部７６ａから所定距離だけ離れた位置に、固形時の色を着色表示で表する表示３７を設け、一体的に色の変化の状態を示してもよい。このとき、固形時の色を着色表示で表する表示３７は、平面視における形状が表示窓部７６ａと同形であってもよい。
【００６９】
なお、特に限定されるものではないが、上記した着色部７０は、印刷やシール等の方法で設けることができる。
すなわち、着色部７０は、収容箱２に対して直接着色してもよく、着色を施した他部材（シール等）を収容箱２に固定するといった間接的な着色であってもよい。
【００７０】
上記した実施形態では、収容区画１５の凹部を仕切る隔壁１６の峰の部分と、固形絵の具１のそれぞれに色を特定する表示３７，３８を設けた例を説明したが、本発明はこれに限るものではない。
例えば、収容区画１５やその近傍にのみ、その位置に収納する固形絵の具１の色を特定する表示３７を設け、固形絵の具１００には色を特定する表示３８を設けない構造であってもよい。
また、固形絵の具１と収容区画１５側のそれぞれに色を特定する表示３７，３８を設けた場合、それぞれの色を特定する表示３７，３８の内容は、必ずしも同じでなくてもよく、例えば、一方が色名であって、他方が色番号であってもよい。すなわち、固形絵の具１の表示３８と、それを収納する収容区画１５側の表示３７で示す色が同一であればよい。
【符号の説明】
【００７１】
１，５０  固形水彩絵の具（固形絵の具）
２  収容箱
８，４２  絵の具セット
１５  収容区画
２０  底辺
２１  上辺
３７  色を特定する表示
３８  色を特定する表示
７０  着色部
７５  連続表示部（着色部）
７６  断続表示部（着色部）
７６ａ  表示窓部（色表示部）
【図１】
2017218225.tif 000003
【図２】
2017218225.tif 000004
【図３】
2017218225.tif 000005
【図４】
2017218225.tif 000006
【図５】
2017218225.tif 000007
【図６】
2017218225.tif 000008
【図７】
2017218225.tif 000009
【図８】
2017218225.tif 000010
【図９】
2017218225.tif 000011
【図１０】
2017218225.tif 000012
【図１１】
2017218225.tif 000013
【図１２】
2017218225.tif 000014
【図１３】
2017218225.tif 000015
【図１４】
2017218225.tif 000016
【図１５】
2017218225.tif 000017
【図１６】
2017218225.tif 000018
【図１７】
2017218225.tif 000019